(57)【要約】  画像表示方法、表示システム並びにコンピューター読取可能記憶媒体を提供する。当該画像表示方法は、第１画像を取得することと、第１画像における第１エリアと第２エリアを特定することと、第１レンダリングアルゴリズムを利用して第１画像における第１エリアに対して処理を行うと共に、第１のレンダリングアルゴリズムよりレンダリング解像度が小さい第２のレンダリングアルゴリズムを利用して第１画像における第２エリアに対して処理を行うことで第２画像を得ることと、第２画像を表示することとを含む。
2020529639.tif 000002
【特許請求の範囲】
【請求項１】
第１画像を取得することと、
前記第１画像における第１エリアと第２エリアを特定することと、
第１のレンダリングアルゴリズムを利用して前記第１画像における第１エリアに対して処理を行うと共に、第１のレンダリングアルゴリズムよりレンダリング解像度が小さい第２のレンダリングアルゴリズムを利用して前記第１画像における第２エリアに対して処理を行うことで、第２画像を得ることと、
前記第２画像を表示することと
を含む
画像表示方法。
【請求項２】
前記第２画像における各サブ画素は、Ｂｒｉｇｈｔ Ｖｉｅｗ ３アレイ配列方式を利用して配列される
請求項１に記載の画像表示方法。
【請求項３】
前記第１のレンダリングアルゴリズムを利用して前記第１画像における第１エリアに対して処理を行うことは、
第１変換式を利用して前記第１画像の第１エリアにおける奇数行の画素に対して画素変換を行うことと、
第２変換式を利用して前記第１画像の第１エリアにおける偶数行の画素に対して画素変換を行うことと、
を含む、請求項２に記載の画像表示方法。
【請求項４】
各前記画素は、少なくとも第１のサブ画素と、第２のサブ画素と、第３のサブ画素とを含み、
前記第１変換式は、
【数１】
2020529639.tif 000076
と表現され、ここで、ｉ１＝１，３，５，…，ｎ１−１は奇数行の列数を表し、ｊ１＝１，３，５，…，ｍ１−１は奇数行の行数を表し、ｎ１とｍ１はいずれも正の整数であり、
【数２】
2020529639.tif 000077
は、それぞれ前記第２画像の第１エリアにおける第ｊ１行第
【数３】
2020529639.tif 000078
列の第１のサブ画素と、第２のサブ画素と、第３のサブ画素とのデータ信号を表し、
【数４】
2020529639.tif 000079
は、それぞれ前記第１画像の第１エリアにおける第ｊ１行第ｉ１列の第１のサブ画素と、第２のサブ画素と、第３のサブ画素とのデータ信号を表し、
【数５】
2020529639.tif 000080
は、それぞれ前記第１画像の第１エリアにおける第ｊ１行第（ｉ１＋１）列の第１のサブ画素と、第２のサブ画素と、第３のサブ画素とのデータ信号を表し、
【数６】
2020529639.tif 000081
は前記第１画像の第１エリアにおける第ｊ１行の前記第１のサブ画素の変換係数を表し、
【数７】
2020529639.tif 000082
は前記第１画像の第１エリアにおける第ｊ１行の前記第２のサブ画素の変換係数を表し、
【数８】
2020529639.tif 000083
は前記第１画像の第１エリアにおける第ｊ１行の前記第３のサブ画素の変換係数を表し、
【数９】
2020529639.tif 000084
であり、
前記第２変換式は、
【数１０】
2020529639.tif 000085
と表現され、ここで、ｉ２、ｊ２、ｎ２はいずれも正の整数であり、ｉ２は偶数行の列数を表し、ｊ２は偶数行の行数を表し、
【数１１】
2020529639.tif 000086
は、それぞれ前記第２画像の第１エリアにおける第ｊ２行第
【数１２】
2020529639.tif 000087
列の第１のサブ画素と、第２のサブ画素と、第３のサブ画素とのデータ信号を表し、
【数１３】
2020529639.tif 000088
は、それぞれ前記第２画像の第１エリアにおける第ｊ２行第
【数１４】
2020529639.tif 000089
列の第１のサブ画素と第２のサブ画素のデータ信号を表し、
【数１５】
2020529639.tif 000090
は前記第２画像の第１エリアにおける第ｊ２行第１列の第３のサブ画素のデータ信号を表し、
【数１６】
2020529639.tif 000091
は、それぞれ前記第１画像の第１エリアにおける第ｊ２行第（ｉ２＋１）列と、第ｊ２行第（ｉ２＋２）列と、第ｊ２行第ｎ２列との第１のサブ画素のデータ信号を表し、
【数１７】
2020529639.tif 000092
は、それぞれ前記第１画像の第１エリアにおける第ｊ２行第（ｉ２＋１）列と、第ｊ２行第（ｉ２＋２）列と、第ｊ２行第ｎ２列との第２のサブ画素のデータ信号を表し、
【数１８】
2020529639.tif 000093
は、それぞれ前記第１画像の第１エリアにおける第ｊ２行第（ｉ２−１）列と、第ｊ２行第ｉ２列と、第ｊ２行第１列との第３のサブ画素のデータ信号を表し、
【数１９】
2020529639.tif 000094
は前記第１画像の第１エリアにおける第ｊ２行の前記第１のサブ画素の変換係数を表し、
【数２０】
2020529639.tif 000095
は前記第１画像の第１エリアにおける第ｊ２行の前記第２のサブ画素の変換係数を表し、
【数２１】
2020529639.tif 000096
は前記第１画像の第１エリアにおける第ｊ２行の前記第３のサブ画素の変換係数を表し、
【数２２】
2020529639.tif 000097
である
請求項３に記載の画像表示方法。
【請求項５】
原始画像を生成することと、
前記原始画像における第１エリアと第２エリアを特定することと、
前記原始画像における第１エリアに対して高解像度レンダリング処理を行うと共に、前記原始画像における第２エリアに対して圧縮レンダリング処理を行うことで、圧縮された前記第１画像を生成することと、
圧縮された前記第１画像を出力することと
をさらに含む、請求項２に記載の画像表示方法。
【請求項６】
前記原始画像における第２エリアは、第１のサブエリアと、第２のサブエリアと、第３のサブエリアとを備え、
前記原始画像における第１のサブエリアは、第１方向で前記原始画像における第１エリアに隣接し、前記原始画像における第２のサブエリアは、前記第１方法に直交する第２方向で前記原始画像における第１エリアに隣接し、前記原始画像における第３のサブエリアは、前記原始画像における第１エリアに隣接せず、
前記原始画像における前記第２エリアに対して圧縮レンダリング処理を行うことは、
前記第１方向に沿って、前記原始画像における第１のサブエリアに対して、比率１／Ｆ１で圧縮処理を行うことと、
前記第２方向に沿って、前記原始画像における第２のサブエリアに対して、比率１／Ｆ２で圧縮処理を行うことと、
前記第１方向に沿って、前記原始画像における第３のサブエリアに対して、比率１／Ｆ１で圧縮処理を行うと共に、前記第２方向に沿って、前記原始画像における第３のサブエリアに対して、比率１／Ｆ２で圧縮処理を行うことと
を含み、
ここで、Ｆ１、Ｆ２はいずれも１以上の正数である、
請求項５に記載の画像表示方法。
【請求項７】
前記第１画像における第２エリアも、第１のサブエリアと、第２のサブエリアと、第３のサブエリアとを備え、それぞれ前記原始画像における第２エリアの第１のサブエリアと、第２のサブエリアと、第３のサブエリアとに一対一で対応し、
前記第２のレンダリングアルゴリズムを利用して前記第１画像における第２エリアに対して処理を行うことは、
前記第１方向に沿って、前記第１画像における第１のサブエリアに対して、比率Ｆ１／２で拡大処理を行うと共に、前記第２方向に沿って、前記第１画像における第１のサブエリアに対して、比率１／２で圧縮処理を行うことと、
前記第２方向に沿って、前記第１画像における第２のサブエリアに対して、比率Ｆ２／２で拡大処理を行うと共に、前記第１方向に沿って、第１の原始画像における第２のサブエリアに対して、比率１／２で圧縮処理を行うことと、
前記第１方向に沿って、前記第１画像における第３のサブエリアに対して、比率Ｆ１／２で拡大処理を行うと共に、前記第２方向に沿って、前記第１画像における第３のサブエリアに対して、比率Ｆ２／２で拡大処理を行うことと
を含む、請求項６に記載の画像表示方法。
【請求項８】
前記第１画像における第２エリアに対して前記圧縮処理と前記拡大処理を行った後、
前記第２のレンダリングアルゴリズムを利用して前記第１画像における第２エリアに対して処理を行うことは、さらに、第３変換式を利用して前記第１画像における第２エリアの画素に対して画素変換を行うことを含み、
各前記画素は、少なくとも第１のサブ画素と、第２のサブ画素と、第３のサブ画素とを含み、
前記第３変換式は、
【数２３】
2020529639.tif 000098
と表現され、ここで、ｋ＝１，２，３，…，ｍ２は行数を表し、ｌ＝１，２，３，…，ｎ３は列数を表し、ｋ、ｌ、ｍ２、ｎ３はいずれも正の整数であり、
【数２４】
2020529639.tif 000099
は、それぞれ前記第２画像における第２エリアの各サブエリアにおける第（２ｋ−１）行第ｌ列の第１のサブ画素と、第２のサブ画素と、第３のサブ画素とのデータ信号を表し、
【数２５】
2020529639.tif 000100
は、それぞれ前記第２画像における第２エリアの各サブエリアにおける第（２ｋ）行第ｌ列の第１のサブ画素と第２のサブ画素のデータ信号を表し、
【数２６】
2020529639.tif 000101
は前記第２画像における第２エリアの各サブエリアにおける第（２ｋ）行第（ｌ＋１）列の第３のサブ画素のデータ信号を表し、
【数２７】
2020529639.tif 000102
は、それぞれ前記第１画像における第２エリアの各サブエリアにおける第ｋ行第ｌ列の第１のサブ画素と、第２のサブ画素と、第３のサブ画素とのデータ信号を表す
請求項７に記載の画像表示方法。
【請求項９】
前記第１画像における前記第２エリアの解像度は、前記第２画像における前記第２エリアの解像度よりも小さい
請求項１に記載の画像表示方法。
【請求項１０】
表示装置を備える表示システムであって、
前記表示装置は、表示パネルと、第１のプロセッサーと、第１メモリとを備え、
前記第１メモリは、第１のコンピューター指示を記憶しており、前記第１のコンピューター指示は、前記第１のプロセッサーによって実行される場合、
第１画像を取得することと、
前記第１画像における第１エリアと第２エリアを特定することと、
第１のレンダリングアルゴリズムを利用して前記第１画像における第１エリアに対して処理を行うと共に、第１のレンダリングアルゴリズムよりレンダリング解像度が小さい第２のレンダリングアルゴリズムを利用して前記第１画像における第２エリアに対して処理を行うことで、第２画像を得ることと、
前記表示パネル上で前記第２画像を表示することと、
の操作を実現する表示システム。
【請求項１１】
前記第２画像における各サブ画素は、Ｂｒｉｇｈｔ Ｖｉｅｗ ３アレイ配列方式を利用する
請求項１０に記載の表示システム。
【請求項１２】
前記第１のコンピューター指示は、前記第１のプロセッサーによって実行される場合、さらに、
第１変換式を利用して前記第１画像の第１エリアにおける奇数行の画素に対して画素変換を行うことと、
第２変換式を利用して前記第１画像の第１エリアにおける偶数行の画素に対して画素変換を行うことと、
の操作を実現する
請求項１１に記載の表示システム。
【請求項１３】
各前記画素は、少なくとも第１のサブ画素と、第２のサブ画素と、第３のサブ画素とを含み、前記第１変換式は、
【数２８】
2020529639.tif 000103
と表現され、ここで、ｉ１＝１，３，５，…，ｎ１−１は奇数行の列数を表し、ｊ１＝１，３，５，…，ｍ１−１は奇数行の行数を表し、ｎ１は第ｊ１行画素の総列数を表し、ｍ１は前記第１画像の第１エリアにおける前記画素の総行数を表し、ｎ１とｍ１はいずれも正の整数であり、
【数２９】
2020529639.tif 000104
は、それぞれ前記第２画像の第１エリアにおける第ｊ１行第
【数３０】
2020529639.tif 000105
列の第１のサブ画素と、第２のサブ画素と、第３のサブ画素とのデータ信号を表し、
【数３１】
2020529639.tif 000106
は、それぞれ前記第１画像の第１エリアにおける第ｊ１行第ｉ１列の第１のサブ画素と、第２のサブ画素と、第３のサブ画素とのデータ信号を表し、
【数３２】
2020529639.tif 000107
は、それぞれ前記第１画像の第１エリアにおける第ｊ１行第（ｉ１＋１）列の第１のサブ画素と、第２のサブ画素と、第３のサブ画素とのデータ信号を表し、
【数３３】
2020529639.tif 000108
は前記第１画像の第１エリアにおける第ｊ１行の前記第１のサブ画素の変換係数を表し、
【数３４】
2020529639.tif 000109
は前記第１画像の第１エリアにおける第ｊ１行の前記第２のサブ画素の変換係数を表し、
【数３５】
2020529639.tif 000110
は前記第１画像の第１エリアにおける第ｊ１行の前記第３のサブ画素の変換係数を表し、
【数３６】
2020529639.tif 000111
であり、
前記第２変換式は、
【数３７】
2020529639.tif 000112
と表現され、ここで、ｉ２、ｊ２、ｎ２はいずれも整数であり、ｉ２は偶数行の列数を表し、ｊ２は偶数行の行数を表し、ｎ２は第ｊ２行画素の総列数を表し、
【数３８】
2020529639.tif 000113
は、それぞれ前記第２画像の第１エリアにおける第ｊ２行第
【数３９】
2020529639.tif 000114
列の第１のサブ画素と、第２のサブ画素と、第３のサブ画素とのデータ信号を表し、
【数４０】
2020529639.tif 000115
は、それぞれ前記第２画像の第１エリアにおける第ｊ２行第
【数４１】
2020529639.tif 000116
列の第１のサブ画素と第２のサブ画素のデータ信号を表し、
【数４２】
2020529639.tif 000117
は前記第２画像の第１エリアにおける第ｊ２行第１列の第３のサブ画素のデータ信号を表し、
【数４３】
2020529639.tif 000118
は、それぞれ前記第１画像の第１エリアにおける第ｊ２行第（ｉ２＋１）列と、第ｊ２行第（ｉ２＋２）列と、第ｊ２行第ｎ２列との第１のサブ画素のデータ信号を表し、
【数４４】
2020529639.tif 000119
は、それぞれ前記第１画像の第１エリアにおける第ｊ２行第（ｉ２＋１）列と、第ｊ２行第（ｉ２＋２）列と、第ｊ２行第ｎ２列との第２のサブ画素のデータ信号を表し、
【数４５】
2020529639.tif 000120
は、それぞれ前記第１画像の第１エリアにおける第ｊ２行第（ｉ２−１）列と、第ｊ２行第ｉ２列と、第ｊ２行第１列との第３のサブ画素のデータ信号を表し、
【数４６】
2020529639.tif 000121
は前記第１画像の第１エリアにおける第ｊ２行の前記第１のサブ画素の変換係数を表し、
【数４７】
2020529639.tif 000122
は前記第１画像の第１エリアにおける第ｊ２行の前記第２のサブ画素の変換係数を表し、
【数４８】
2020529639.tif 000123
は前記第１画像の第１エリアにおける第ｊ２行の前記第３のサブ画素の変換係数を表し、
【数４９】
2020529639.tif 000124
である
請求項１２に記載の表示システム。
【請求項１４】
画像処理装置をさらに備え、
前記画像処理装置は、
第２のプロセッサーと、
第２コンピューター指示を記憶している第２メモリと、を備え、
前記第２コンピューター指示は、前記第２のプロセッサーによって実行される場合、
原始画像を生成することと、
前記原始画像における第１エリアと第２エリアを特定することと、
前記画像処理装置を利用して前記原始画像における第１エリアに対して高解像度レンダリングを行うと共に、前記原始画像における第２エリアに対して圧縮レンダリング処理を行うことで、圧縮された前記第１画像を生成することと、
圧縮された前記第１画像を前記表示装置に出力することと、
の操作を実現する
請求項１１に記載の表示システム。
【請求項１５】
前記原始画像における第２エリアは、第１のサブエリアと、第２のサブエリアと、第３のサブエリアとを備え、
前記原始画像における第１のサブエリアは、第１方向で前記原始画像における第１エリアに隣接し、前記原始画像における第２のサブエリアは、前記第１方向に直交する第２方向で前記原始画像における第１エリアに隣接し、前記原始画像における第３のサブエリアは、前記原始画像における第１エリアに隣接せず、
前記第２コンピューター指示は、前記第２のプロセッサーによって実行される場合、さらに、
前記第１方向に沿って、前記原始画像における第１のサブエリアに対して、比率１／Ｆ１で圧縮処理を行うことと、
前記第２方向に沿って、前記原始画像における第２のサブエリアに対して、比率１／Ｆ２で圧縮処理を行うことと、
前記第１方向に沿って、前記原始画像における第３のサブエリアに対して、比率１／Ｆ１で圧縮処理を行うと共に、前記第２方向に沿って、前記原始画像における第３のサブエリアに対して、比率１／Ｆ２で圧縮処理を行うことと、
の操作を実現し、
ここで、Ｆ１、Ｆ２はいずれも１以上の正数である
請求項１４に記載の表示システム。
【請求項１６】
前記第１画像における第２エリアも、第１のサブエリアと、第２のサブエリアと、第３のサブエリアとを備え、それぞれ前記原始画像における第２エリアの第１のサブエリアと、第２のサブエリアと、第３のサブエリアとに一対一で対応し、
前記第１のコンピューター指示は、前記第１のプロセッサーによって実行される場合、さらに、
前記第１方向に沿って、前記第１画像における第１のサブエリアに対して、比率Ｆ１／２で拡大処理を行うと共に、前記第２方向に沿って、前記第１画像における第１のサブエリアに対して、比率１／２で圧縮処理を行うことと、
前記第２方向に沿って、前記第１画像における第２のサブエリアに対して、比率Ｆ２／２で拡大処理を行うと共に、前記第１方向に沿って、前記第１画像における第２のサブエリアに対して、比率１／２で圧縮処理を行うことと、
前記第１方向に沿って、前記第１画像における第３のサブエリアに対して、比率Ｆ１／２で拡大処理を行うと共に、前記第２方向に沿って、前記第１画像における第３のサブエリアに対して、比率Ｆ２／２で拡大処理を行うことと、
の操作を実現する
請求項１５に記載の表示システム。
【請求項１７】
前記第１のコンピューター指示は、前記第１のプロセッサーによって実行される場合、さらに、第３変換式を利用して、前記第１画像における第２エリアの画素に対して画素変換を行うこと、の操作を実現し、
各前記画素は、少なくとも第１のサブ画素と、第２のサブ画素と、第３のサブ画素とを含み、前記第３変換式は、
【数５０】
2020529639.tif 000125
と表現され、ここで、ｋ＝１，２，３，…，ｍ２は行数を表し、ｌ＝１，２，３，…，ｎ３は列数を表し、ｎ３は第ｋ行画素の総列数を表し、ｍ２は前記第１のサブエリアや第２のサブエリアや第３のサブエリアにおける前記画素の総行数を表し、ｋ、ｌ、ｍ２、ｎ３はいずれも整数であり、
【数５１】
2020529639.tif 000126
は、それぞれ前記第２画像における第２エリアの各サブエリアにおける第（２ｋ−１）行第ｌ列の第１のサブ画素と、第２のサブ画素と、第３のサブ画素とのデータ信号を表し、
【数５２】
2020529639.tif 000127
は、それぞれ前記第２画像における第２エリアの各サブエリアにおける第（２ｋ）行第ｌ列の第１のサブ画素と第２のサブ画素のデータ信号を表し、
【数５３】
2020529639.tif 000128
は前記第２画像における第２エリアの各サブエリアにおける第（２ｋ）行第（ｌ＋１）列の第３のサブ画素のデータ信号を表し、
【数５４】
2020529639.tif 000129
は、それぞれ前記第１画像における第２エリアの各サブエリアにおける第ｋ行第ｌ列の第１のサブ画素と、第２のサブ画素と、第３のサブ画素とのデータ信号を表す
請求項１６に記載の表示システム。
【請求項１８】
前記第１画像における前記第２エリアの解像度は、前記第２画像における前記第２エリアの解像度よりも小さい
請求項１０に記載の表示システム。
【請求項１９】
プロセッサーによって実行されることによって請求項１ないし９のいずれか一項に記載の画像表示方法が実現されるコンピューター指示を記憶している、コンピューター読取可能記憶媒体。
【発明の詳細な説明】
【技術分野】
【０００１】
本出願は、２０１７年８月９日に出願された中国特許出願第２０１７１０６７４６９３．６号の優先権を主張し、前記中国特許出願の内容を援用により全てここに引用して本出願の一部とする。
【０００２】
本開示の実施態様は、画像表示方法、表示システム及びコンピューター読取可能記憶媒体に関する。
【背景技術】
【０００３】
バーチャルリアリティ（ＶＲ：Ｖｉｒｔｕａｌ Ｒｅａｌｉｔｙ）技術は、仮想世界を作成／体験できるコンピューターシミュレーション技術である。ＶＲ技術は、医学、エンターテインメント、ゲーム、軍事・航空、展覧・展示などの分野に適用される。
【０００４】
表示技術の進展に伴い、表示装置の解像度に対する要求が高くなる。高解像度（例えば、４Ｋ解像度）の製品は、大きなデータ伝送量が必要であり、よって電子製品のリフレッシュレートが低下してしまう。ＶＲ技術は、解像度及びリフレッシュレート等に対する要求が厳しくて、ユーザーが目まいと感じられないように９０Ｈｚ以上のリフレッシュレートを必要とする。従って、データ伝送量が、ＶＲ技術において解決すべき課題となる。
【発明の概要】
【課題を解決するための手段】
【０００５】
本開示の少なくとも一実施態様は、第１画像を取得することと、前記第１画像における第１エリアと第２エリアを特定することと、第１のレンダリングアルゴリズムを利用して前記第１画像における第１エリアに対して処理を行うと共に、第１のレンダリングアルゴリズムよりレンダリング解像度が小さい第２のレンダリングアルゴリズムを利用して前記第１画像における第２エリアに対して処理を行うことで第２画像を得ることと、前記第２画像を表示することとを含む画像表示方法を提供する。
【０００６】
本開示の少なくとも一実施態様は、さらに、表示装置を備える表示システムを提供する。前記表示装置は、表示パネルと、第１のプロセッサーと、第１メモリとを備える。前記第１メモリは、第１のコンピューター指示を記憶しており、前記第１のコンピューター指示は、前記第１のプロセッサーによって実行される場合、第１画像を取得することと、前記第１画像における第１エリアと第２エリアを特定することと、第１のレンダリングアルゴリズムを利用して前記第１画像における第１エリアに対して処理を行うと共に、第１のレンダリングアルゴリズムよりレンダリング解像度が小さい第２のレンダリングアルゴリズムを利用して前記第１画像における第２エリアに対して処理を行うことで第２画像を得ることと、前記表示パネル上で前記第２画像を表示することと、という操作を実現する。
【０００７】
本開示の少なくとも一実施態様は、さらに、コンピューター指示が記憶されているコンピューター読取可能記憶媒体を提供する。前記コンピューター指示は、プロセッサーによって実行される場合、上記いずれか一態様による画像表示方法を実行することができる。
【０００８】
本開示の少なくとも一実施態様は、画像表示方法、表示システム及びコンピューター読取可能記憶媒体を提供する。当該画像表示方法は、表示装置で異なる表示エリアに対して異なるレンダリングアルゴリズムを利用して処理を行うことで、固視点レンダリング（Ｆｉｘａｔｉｏｎ Ｐｏｉｎｔ Ｒｅｎｄｅｒｉｎｇ）効果を実現しつつ、画像のデータ伝送量を低減し、ホストの消費電力を節約し、表示画面のリフレッシュレートを向上する。
【０００９】
以下に、本開示の実施形態の技術案をより明らかに説明するために、実施形態の図面を簡単に説明する。以下に説明する図面が、本開示のいくつかの実施形態に係るものであり、本開示に対する制限ではないことは、言うまでもない。
【図面の簡単な説明】
【００１０】
【図１】本開示の一実施形態による画像表示方法の模式的なフローチャートである。
【図２Ａ】本開示の一実施形態による第１画像における第１エリアと第２エリアの模式図である。
【図２Ｂ】本開示の一実施形態による第１画像における第１エリアと第２エリアの模式図である。
【図３】本開示の別の一実施形態による第１画像における第１エリアと第２エリアの模式図である。
【図４】本開示の一実施形態による原始画像と、第１画像と、第２画像間の変換模式図である。
【図５Ａ】本開示の一実施形態による第１画像における第１エリアの部分的な模式図である。
【図５Ｂ】本開示の一実施形態による第２画像における第１エリアの部分的な模式図である。
【図６Ａ】本開示の一実施形態による第１画像における第２エリアの部分的な模式図である。
【図６Ｂ】本開示の一実施形態による第２画像における第２エリアの部分的な模式図である。
【図７】本開示の一実施形態による表示システムの模式的なブロック図である。
【発明を実施するための形態】
【００１１】
以下、本開示の実施形態の目的、技術案、メリットをより明らかにするために、本開示の実施形態の図面を参照して、本開示の実施形態の技術案に対して明瞭かつ十分に説明していく。説明する実施形態が本開示の一部の実施形態であり、全ての実施形態ではないことは、明らかである。説明する本開示の実施形態に基づいて、当業者の創造性のある労働を要せずに得られる全ての他の実施形態は、本開示の保護を求める範囲に属する。
【００１２】
別途定義しない限り、本開示で使用される技術的な用語或いは科学用語は、当業者が理解する通常な意味であるべきである。本開示で使用される「第１」、「第２」及び類似する文言は、いかなる順序、数量或いは重要性を表すわけではなく、異なる部品を区別するためのみ用いられる。「備える」或いは「含む」などの類似する文言は、当該文言の前で現れる素子又は部品が、当該文言の後ろに挙げられた素子又は部品又はその同等物を包含することを意味しており、その他の素子又は部品を除外することではない。「接続」又は「繋がる」などの類似する文言は、物理的な接続或いは機械的な接続に限らず、直接か間接かを問わず、電気的な接続を含む。「上」、「下」、「左」、「右」などは、相対位置の関係を表すためのみ用いられ、説明対象の絶対位置が変更された後、当該相対位置の関係も相応に変更される可能性がある。本開示の実施形態の以下の説明を明瞭かつ簡潔にするために、本開示は、既知の機能と既知の部品の詳細な説明を省略する。
【００１３】
固視点レンダリング（Ｆｉｘａｔｉｏｎ  Ｐｏｉｎｔ  Ｒｅｎｄｅｒｉｎｇ）技術は、選択的な画像レンダリング技術であり、眼球追跡技術に基づいて人の眼の固視エリアを選択して全解像度レンダリングを行う一方、人の眼の固視エリア以外のエリアでファズィーレンダリングを行うことで、固視エリアが澄んで、非固視エリアがファズィーである画像を表示する。固視点レンダリング技術は、固視エリアの画像のみをレンダリングすることで、伝送データ量を節約する目的を達成して、コンピューター演算リソースを節約して消費電力を低減する。固視点レンダリング技術によるＶＲ製品は、データ伝送量を低減し、コンピューターのレンダリング負荷を低下し、高解像度と高リフレッシュレートを実現できる。
【００１４】
本開示の少なくとも一実施形態は、画像表示方法、表示システム及びコンピューター読取可能記憶媒体を提供する。当該画像表示方法は、表示装置で異なる表示エリアに対して異なるレンダリングアルゴリズムを利用して処理することで、固視点レンダリング効果を実現し、画像のデータ伝送量を低減し、ホストの消費電力を節約し、表示画面のリフレッシュレートを向上する。
【００１５】
以下に、図面を参照しながら、本開示の実施形態を詳細に説明するが、本開示はこれらの具体的な実施形態に限定されない。
【００１６】
図１は、本開示の一実施形態による画像表示方法の模式的なフローチャートである。図２Ａ及び図２Ｂは、本開示の一実施形態による第１画像における第１エリアと第２エリアの模式図を示す。図３は、本開示の別の一実施形態による第１画像における第１エリアと第２エリアの模式図を示す。図４は、本開示の一実施形態による原始画像と、第１画像と、第２画像との間の変換模式図を示す。
【００１７】
例えば、図１に示すように、本開示の実施形態による画像表示方法は、以下の操作を含む：
操作Ｓ５１：第１画像を取得することと、
操作Ｓ５２：第１画像における第１エリアと第２エリアを特定することと、
操作Ｓ５３：第１のレンダリングアルゴリズムを利用して第１画像における第１エリアに対して処理を行うと共に、第１のレンダリングアルゴリズムよりレンダリング解像度が小さい第２のレンダリングアルゴリズムを利用して第１画像における第２エリアに対して処理を行うことで、第２画像を得ることと、
操作Ｓ５４：第２画像を表示すること。
【００１８】
本開示の実施形態による画像表示方法は、表示装置端で実行されることができる。表示装置で異なる表示エリアに対して異なるレンダリングアルゴリズムを利用して処理を行うことで、固視点レンダリング効果を実現する。従って、ホスト（例えば、コンピューターの中央プロセッサー（ＣＰＵ））のデータ伝送量を低減し、表示画面のリフレッシュレートを向上することができる。
【００１９】
例えば、表示装置では、駆動チップを利用して異なる表示エリアに対して異なるレンダリングアルゴリズムを利用して処理を行うことができる。
【００２０】
例えば、第１のレンダリングアルゴリズムのレンダリング解像度は全解像度であってもよい。従って、第１エリアについては、高解像度表示が可能になる。例えば、第１エリアにおいて、各サブ画素は、一つのデータ信号によりレンダリングされる。第２のレンダリングアルゴリズムのレンダリング解像度は、第１のレンダリングアルゴリズムのレンダリング解像度よりも小さい。例えば、第２エリアにおいて、二つの同じのサブ画素は、一つのデータ信号によりレンダリングされることができる。ただ、これに限定されず、第２エリアにおいて、複数の同じサブ画素ごとに、例えば一つのデータ信号によりレンダリングされることができる。
【００２１】
例えば、図２Ａに示すように、第１画像２０は、第１エリア２１と第２エリア２２を含む。第１画像２０は、長方形形状（又はその他の形状）を有し、また、第１エリア２１は、長方形の任意の一隅に位置されることができる。この時、図２Ｂに示すように、第１画像２０は、四つのサブエリアに分割されてもよい。第２エリア２２は、第１のサブエリアＢと、第２のサブエリアＣと、第３のサブエリアＤとを含むことができる。第１エリア２１は、第４のサブエリアＡであってもよい。
【００２２】
例えば、第１画像２０の第１のサブエリアＢは、第１方向で第１画像２０の第１エリア２１（すなわち、第４のサブエリアＡ）と隣接し、第１画像２０の第２のサブエリアＣは、第２方向で第１画像２０の第１エリア２１と隣接し、第１画像２０の第３のサブエリアＤは、第１画像２０の第１エリア２１と隣接しない。例えば、第１方向と第２方向は互いに垂直する。
【００２３】
ここで注意すべきは、本開示において、「隣接」とは、第２エリア２２におけるサブエリア（例えば、図２Ｂにおける第１のサブエリアＢと第２のサブエリアＣ）と第１エリア２１とが、少なくとも一つの辺が隣接することを表す。“隣接しない”とは、第２エリア２２におけるサブエリア（例えば、図２Ｂにおける第３のサブエリアＤ）と第１エリア２１とがいずれの辺でも隣接しないことを表す。
【００２４】
例えば、第１画像２０の第１のサブエリアＢと、第２のサブエリアＣと、第３のサブエリアＤとは、さらに分割されてもよい。例えば、第２方向で、第１画像２０の第１のサブエリアＢはさらに複数の部分に分割されることができ、当該複数の部分は、形状が同じでもよいし、異なってもよい。第１方向で、第１画像２０の第２のサブエリアＣはさらに複数の部分に分割されることができる。第１方向又は第２方向で、第１画像２０の第３のサブエリアＤもさらに複数の部分に分割されることもできる。本開示の実施形態では、第２エリア２２における各サブエリアの分割や数量と配列の方式を限定しない。
【００２５】
例えば、第１画像２０の第１エリア２１は、第１画像２０のいずれの辺に位置されてもよい。或いは、第１画像２０の第１エリア２１は、第１画像２０の中央に位置されてもよい。言い換えると、第１画像２０の第１エリア２１は、第１画像２０の辺又は角と接しない。本開示の実施形態は、第１エリア２１の具体的な位置を限定しない。
【００２６】
例えば、第１画像２０は、四つのサブエリアに分割されてもよい。第１エリア２１は、一つのサブエリアを備え、第２エリア２２は、三つのサブエリアを備える。
【００２７】
例えば、第１エリア２１は、第１画像２０のいずれの辺に位置できる。このような場合、第１エリア２１は、一つのサブエリアを備え、第２エリア２２は、三つのサブエリアを備える。例えば、三つのサブエリアは、それぞれ第１のサブエリアＢと、第２のサブエリアＣと、第３のサブエリアＤとであり、さらに、第１のサブエリアＢが二つの部分を備え、第３のサブエリアＤが二つの部分を備え、第２のサブエリアＣが一つの部分だけを備える。これにより、第１画像２０は、六つの部分に分割される。
【００２８】
例えば、図３に示すように、第１エリア２１は、第１画像２０の中央に位置されてもよい。このような場合、第１エリア２１は第４のサブエリアＡであり、第２エリア２２は、第１のサブエリアＢと、第２のサブエリアＣと、第３のサブエリアＤとを備え、さらに、第１のサブエリアＢは第１部分Ｂ１と第２部分Ｂ２を備える。第２のサブエリアＣは第３部分Ｃ１と第４部分Ｃ２を備える。第３のサブエリアＤは、第５部分Ｄ１と、第６部分Ｄ２と、第７部分Ｄ３と、第８部分Ｄ４を備える。これにより、第１画像２０は、九つの部分に分割される。注意すべきは、各部分はさらに分割されてもよい。
【００２９】
説明すべきは、本開示の以下の説明において、第１画像が九つの部分に分割されること（すなわち、図３に示す例示）を例として説明するが、当業者にとっては、本開示の実施形態による画像表示方法が、他の方式で分割される第１画像に適用されることもできるのは理解されることであろう。
【００３０】
例えば、操作Ｓ５１を実行する前に、画像表示方法は、さらに、
操作Ｓ４１：原始画像を生成することと、
操作Ｓ４２：原始画像における第１エリアと第２エリアを特定することと、
操作Ｓ４３：原始画像における第１エリアに対して高解像度レンダリング処理を行うと共に、原始画像における第２エリアに対して圧縮レンダリング処理を行うことで、圧縮後の第１画像を生成することと、
操作Ｓ４４：圧縮後の第１画像を出力すること
という操作を含むことができる。
【００３１】
例えば、図４に示すように、原始画像１０は、表示すべき画像のデータ信号によって生成される。原始画像１０により圧縮後の第１画像２０を生成する手順は、画像処理装置内で完了される。その後、画像処理装置は、圧縮後の第１画像２０を表示装置に伝送する。これにより、画像処理装置により表示装置に伝送されるデータ量は、圧縮後の第１画像２０のデータ信号量に過ぎず、よってデータ伝送量を低減し、画像処理装置の消費電力を低減する。
【００３２】
説明すべきは、実際の応用では、第１画像２０を表示しなくてもよい。すなわち、画像処理装置では、原始画像１０から圧縮後の第１画像２０における各画素のデータ信号を得てから、第１画像２０のデータ信号を表示装置に伝送して、その後の処理を行ってもよい。
【００３３】
例えば、画像処理装置は、コンピューターのＣＰＵであってもよいし、画像プロセッサー（ＧＰＵ：Ｇｒａｐｈｉｃ Ｐｒｏｃｅｓｓｉｎｇ Ｕｎｉｔ）などであってもよい。
【００３４】
例えば、操作Ｓ４２で、原始画像１０における第１エリアと第２エリアを予め設定しておき、画像を表示する間にそのままにしてよい。或いは、例えば、原始画１０における第１エリアと第２エリアを、人の目線方向に応じて変化してもよい。この場合、操作Ｓ４２は、人の眼線を検出することと、人の眼線に従って原始画像１０における第１エリアを特定することとを含むことができる。例えば、原始画像１０において、第１エリア以外のエリアが原始画像１０の第２エリアである。例えば、第１エリアは人の眼の固視エリアであり、第２エリアは非固視エリアである。
【００３５】
例えば、図４に示すように、原始画像１０は、九つの部分に分割される。例えば、原始画像１０の第１エリアは第４のサブエリアＡ''であり、原始画像１０の第２エリアは、それぞれ第１画像２０における第１のサブエリアＢと、第２のサブエリアＣと、第３のサブエリアＤとに一対一で対応する第１のサブエリアＢ''と、第２のサブエリアＣ''と、第３のサブエリアＤ''とを備える。原始画像１０における第１のサブエリアＢ''は、第１方向で原始画像１０における第１エリア（すなわち、第４のサブエリアＡ''）と隣接し、原始画像１０における第２のサブエリアＣ''は、第２方向で原始画像１０における第１エリアと隣接し、原始画像１０における第３のサブエリアＤ''は、原始画像１０における第１エリアと隣接しない。第１のサブエリアＢ''は、第１部分Ｂ''１と第２部分Ｂ''２を備え、第２のサブエリアＣ''は、第３部分Ｃ''１と第４部分Ｃ''２を備え、第３のサブエリアＤ''は第５部分Ｄ''１と、第６部分Ｄ''２と、第７部分Ｄ''３と、第８部分Ｄ''４とを備える。
【００３６】
例えば、第１画像２０における九つの部分は、原始画像１０における九つの部分と互いに一対一で対応してもよい。
【００３７】
例えば、図４に示す原始画像１０を例とする。操作Ｓ４３では、原始画像１０における第２エリアに対して圧縮レンダリング処理を行うことは、
操作Ｓ４３１：第１方向に沿って、原始画像１０における第１のサブエリアＢ''に対して、比率１／Ｆ１で圧縮処理を行うことと、
操作Ｓ４３２：第２方向に沿って、原始画像１０における第２のサブエリアＣ''に対して、比率１／Ｆ２で圧縮処理を行うことと、
操作Ｓ４３３：第１方向に沿って、原始画像１０における第３のサブエリアＤ''に対して、比率１／Ｆ１で圧縮処理を行うと共に、第２方向に沿って、原始画像１０における第３のサブエリアＤ''に対して、比率１／Ｆ２で圧縮処理を行うことと、
の操作を含む。
【００３８】
例えば、圧縮処理は、補間アルゴリズムを利用してもよい。補間アルゴリズムは、例えば、ラグランジュ補間、ニュートン補間及びＨｅｒｍｉｔｅ補間などを含む。
【００３９】
例えば、Ｆ１とＦ２はいずれも１より大きい。必要に応じて、Ｆ１とＦ２が同じであってもよいし、異なってもよく、限られていない。また、例えば、Ｆ１とＦ２を予め設定し、画像表示の間にそのまましてもよい。または、Ｆ１とＦ２を原始画像１０における第２エリアのサイズに応じて変化してもよい。例えば、データ伝送量が同じであり原始画像のサイズが固定されている場合、第１の原始画像と第２の原始画像については、第１の原始画像のサイズと第２の原始画像のサイズが同じである（例えば、７２０×１０８０）が、第１の原始画像と第２の原始画像の人の眼の固視エリアは異なる。つまり、第１の原始画像における第１エリアのサイズと第２の原始画像における第１エリアのサイズとが異なる。例えば、第１の原始画像における第１エリアのサイズが第２の原始画像における第１エリアのサイズよりも小さい場合、即ち第１の原始画像における第２エリアのサイズが第２の原始画像における第２エリアのサイズよりも大きい場合、上記操作Ｓ４３１から操作Ｓ４３３までにおいては、第１の原始画像における第２エリアに対して圧縮処理を行う比率１／Ｆ１と１／Ｆ２は、それぞれ第２の原始画像における第２エリアに対して圧縮処理を行う比率１／Ｆ１'と１／Ｆ２'よりも大きく、よって第１の原始画像と第２の原始画像のデータ伝送量を同じにすることができる。
【００４０】
例えば、操作Ｓ４３３は、単なる一つの操作ステップであってもよいが、これに限られない。操作Ｓ４３３における第３のサブエリアＤ''に対する処理手順は、操作Ｓ４３１と操作Ｓ４３２において実現されてもよい。すなわち、操作Ｓ４３１において、第１方向に沿って原始画像１０における第１のサブエリアＢ''と第３のサブエリアＤ''に対して同時に比率１／Ｆ１で圧縮処理を行ってもよい。操作Ｓ４３２において、第２方向に沿って原始画像１０における第２のサブエリアＣ''と第３のサブエリアＤ''に対して同時に比率１／Ｆ２で圧縮処理を行ってもよい。
【００４１】
例えば、図４に示すように、第１のレンダリングアルゴリズムを利用して第１画像２０における第１エリア２１（即ち、第４のサブエリアＡ）に対して処理を行うと共に、第２のレンダリングアルゴリズムを利用して第１画像２０における第２エリア２２（即ち、部分Ｂ１、Ｂ２、Ｃ１、Ｃ２、Ｄ１、Ｄ２、Ｄ３、Ｄ４ごと）に対して処理を行うことで、第２画像３０が得られる。第２画像３０には、例えば、第１画像２０における九つの部分と互いに一対一で対応する九つの部分が備えられてもよい。例えば、第１画像２０における第４のサブエリアＡに対して、第１のレンダリングアルゴリズム処理することによって、第２画像３０における第４のサブエリアＡ'が得られる。第１画像２０における第１のサブエリアＢと、第２のサブエリアＣと、第３のサブエリアＤに対して、第２のレンダリングアルゴリズム処理することによって、それぞれ第２画像３０における第１のサブエリアＢ'と、第２のサブエリアＣ'と、第３のサブエリアＤ'が得られる。例えば、第１画像２０における第１部分Ｂ１と、第２部分Ｂ２と、第３部分Ｃ１と、第４部分Ｃ２と、第５部分Ｄ１と、第６部分Ｄ２と、第７部分Ｄ３と、第８部分Ｄ４とが、それぞれに第２画像３０における第１部分Ｂ'１と、第２部分Ｂ'２と、第３部分Ｃ'１と、第４部分Ｃ'２と、第５部分Ｄ'１と、第６部分Ｄ'２と、第７部分Ｄ'３と、第８部分Ｄ'４とに対応する。
【００４２】
例えば、原始画像１０において、第１のサブエリアＢ''における二つの部分（即ち、第１部分Ｂ''１と第２部分Ｂ''２）は、異なる比率で圧縮処理されてもよいし、同じ比率で圧縮処理されてもよい。例えば、第１方向で、第１部分Ｂ''１が比率１／Ｔ１で圧縮処理され、第２部分Ｂ''２が比率１／Ｔ２で圧縮処理され、Ｔ１とＴ２はいずれも１よりも大きい。同様に、第２のサブエリアＣ''における二つの部分は、異なる比率で圧縮処理されてもよいし、同じ比率で圧縮処理されてもよい。第３のサブエリアＤ''における四つの部分は、異なる比率で圧縮処理されてもよいし、同じ比率で圧縮処理されてもよい。
【００４３】
説明すべきは、第１方向では、原始画像１０における第１部分Ｂ''１と、第５部分Ｄ''１と、第６部分Ｄ''２の圧縮比率が同じであってもよい。原始画像１０における第２部分Ｂ''２と、第７部分Ｄ''３と、第８部分Ｄ''４との圧縮比率は同じであってもよい。第２方向では、原始画像１０における第３部分Ｃ''１と、第５部分Ｄ''１と、第７部分Ｄ''３との圧縮比率は同じであってもよい。原始画像１０における第４部分Ｃ''２と、第６部分Ｄ''２と、第８部分Ｄ''４との圧縮比率は同じであってもよい。
【００４４】
例えば、原始画像１０における第４のサブエリアＡ''と、第１画像２０における第４のサブエリアＡと、第２画像３０における第４のサブエリアＡ'とは、形状がいずれも同じである。第１画像２０における第２エリアにおける各部分のサイズ（例えば、画素単位である）は、第２画像３０における第２エリアのうち対応する各部分のサイズ（例えば、画素単位である）よりも小さい。例えば、原始画像１０における第２エリアにおける各部分の物理サイズは、第２画像３０における第２エリアのうち対応する各部分の物理的なサイズと同じでもよい。
【００４５】
例えば、第１画像２０は、２Ｋ＊２Ｋの圧縮画像であってもよい。第２画像３０は、２Ｋ＊４Ｋの表示画像であってもよい。これにより、当該画像表示方法は、２Ｋ＊２Ｋのデータ信号だけを入力して、エリア別レンダリングアルゴリズムにより、２Ｋ＊４ＫのＢＶ３表示モジュールで表示して固視点レンダリング効果を実現し、データ伝送量を低減し、リフレッシュレートを向上することができる。説明すべきは、上記２Ｋ＊２Ｋと２Ｋ＊４Ｋなどは、画素数量を表す。
【００４６】
説明すべきは、第１のレンダリングアルゴリズムと第２のレンダリングアルゴリズムは、第１画像２０の各エリアにおけるサブ画素のデータ信号に対して処理を行うことを表す。
【００４７】
例えば、第１画像２０における第１エリアと第２エリアは、それぞれ、原始画像１０の第１エリアと第２エリアに対応する。これにより、第１画像２０における第１エリア２１と第２エリア２２を予め設定して画像を表示する間にそのままにしてもよいし、或いは、第１画像２０における第１エリア２１と第２エリア２２を、人の目線方向に応じて変化してもよい。この場合、例えば、第１エリア２１が固視エリアであり、第２エリア２２が非固視エリアであってもよい。これにより、当該画像表示方法は、固視点表示を実現することができる。
【００４８】
例えば、第１画像２０の解像度が２Ｋであって、第２画像３０の解像度が４Ｋであってもよい。例えば、第１画像２０における第２エリアの解像度が、第２画像３０における第２エリアの解像度よりも小さい。説明すべきは、上記「解像度」とは、例えば、視覚的解像度を表す。
【００４９】
例えば、第１画像２０における各サブ画素は、基準となるＲＢＧアレイ配列方式を利用して配列されてもよいが、第２画像３０における各サブ画素は、ＢＶ３（Ｂｒｉｇｈｔ Ｖｉｅｗ ３）アレイ配列方式を利用して配列される。ＢＶ３アレイ配列は、三角式（ｄｅｌｔａ，Δ）アレイ配列であり、視覚的解像度を向上し、表示画質を向上することができる。
【００５０】
図５Ａは、本開示の一実施形態による第１画像における第１エリアの部分的な模式図を示す。図５Ｂは、本開示の一実施形態による第２画像における第１エリアの部分的な模式図を示す。
【００５１】
例えば、操作Ｓ５３では、第１のレンダリングアルゴリズムを利用して第１画像における第１エリア２１に対して処理を行うことは、第１変換式を利用して第１画像における第１エリア２１のうち奇数行の画素に対して画素変換を行うことと、第２変換式を利用して第１画像における第１エリア２１のうち偶数行の画素に対して画素変換を行うことと、を含む。
【００５２】
例えば、レンダリング中、第１画像２０の第１エリア２１の物理的サイズは変わらず、即ち、第１画像２０の第１エリア２１と第２画像３０の第１エリアとは、形状と物理的サイズが同じでもよい。
【００５３】
例えば、第２画像３０の第１エリアにおいて、全ての画素が、ＢＶ３アレイ配列方式を利用して配列される。
【００５４】
例えば、図５Ｂに示す第２画像における第１エリアは、図５Ａに示す第１画像における第１エリアに対応する。つまり、図５Ａに示す第１画像における第１エリアは、第１変換式と第２変換式を介してレンダリング変換されて、図５Ｂに示す第２画像における第１エリアが得られる。
【００５５】
例えば、図５Ａに示すように、第１画像２０における第１エリア２１は、複数の画素１００を備え、各画素１００は、少なくとも第１のサブ画素１０１と、第２のサブ画素１０２と、第３のサブ画素１０３とを備える。例えば、第１画像２０の第１エリア２１における第１のサブ画素１０１と、第２のサブ画素１０２と、第３のサブ画素１０３とは、それぞれ赤サブ画素と、緑サブ画素と、青サブ画素であってもよい。また、例えば、各画素１００は、白サブ画素である第４のサブ画素をさらに備えてもよい。
【００５６】
説明すべきは、第１のサブ画素１０１と、第２のサブ画素１０２と、第３のサブ画素１０３とは、例えば、それぞれイエローサブ画素、マゼンタサブ画素とシアンサブ画素であってもよい。本開示の実施形態はこれに限られない。
【００５７】
例えば、図５Ｂに示すように、第２画像３０における第１エリアが、複数の画素２００を備え、各画素２００が、少なくとも第１のサブ画素２０１と、第２のサブ画素２０２と、第３のサブ画素２０３とを備えてもよい。これに応じて、第２画像３０の第１エリアにおける第１のサブ画素２０１と、第２のサブ画素２０２と、第３のサブ画素２０３とは、それぞれに第１画像２０の第１エリアにおける第１のサブ画素１０１と、第２のサブ画素１０２と、第３のサブ画素１０３とに対応してもよい。第２画像３０の第１エリアにおける第１のサブ画素２０１と、第２のサブ画素２０２と、第３のサブ画素２０３とは、例えば、それぞれが赤サブ画素と、緑サブ画素と、青サブ画素であってもよい。
【００５８】
例えば、第１変換式は、
【数１】
2020529639.tif 000003
と表現されてもよい。ここで、ｉ１とｊ１はいずれも整数であり、ｉ１＝１，３，５，…，ｎ１−１は奇数行の列数（例えば、第１画像の第１エリアにおける奇数行の列数）を表し、ｊ１＝１，３，５，…，ｍ１−１は奇数行の行数（例えば、第１画像の第１エリアにおける奇数行の行数）を表し、ｎ１とｍ１はいずれも正の整数であり、
【数２】
2020529639.tif 000004
は、それぞれ第２画像３０の第１エリアのうち、第ｊ１行第
【数３】
2020529639.tif 000005
列の第１のサブ画素２０１と、第２のサブ画素２０２と、第３のサブ画素２０３とのデータ信号である。
【数４】
2020529639.tif 000006
は、それぞれ第１画像２０の第１エリアにおける第ｊ１行第ｉ１列の第１のサブ画素１０１と、第２のサブ画素１０２と、第３のサブ画素１０３とのデータ信号であり、
【数５】
2020529639.tif 000007
は、それぞれ第１画像２０の第１エリアにおける第ｊ１行第（ｉ１＋１）列の第１のサブ画素１０１と、第２のサブ画素１０２と、第３のサブ画素１０３とのデータ信号である。
【数６】
2020529639.tif 000008
は、第１画像の第１エリアにおける第ｊ１行の第１のサブ画素１０１の変換係数であり、
【数７】
2020529639.tif 000009
は、第１画像の第１エリアにおける第ｊ１行の第２のサブ画素１０２の変換係数であり、
【数８】
2020529639.tif 000010
は、第１画像の第１エリアにおける第ｊ１行の第３のサブ画素１０３の変換係数であり、
【数９】
2020529639.tif 000011
である。
【００５９】
例えば、第２変換式は、
【数１０】
2020529639.tif 000012
と表現されてもよい。ここで、ｉ２と、ｊ２と、ｎ２は、いずれも正の整数であり、ｉ２は偶数行の列数（例えば、第１画像の第１エリアにおける偶数行の列数）を表し、ｊ２は偶数行の行数（例えば、第１画像の第１エリアにおける偶数行の行数）を表し、ｎ２は第ｊ２行の画素の総列数を表し、
【数１１】
2020529639.tif 000013
は、それぞれ第２画像３０の第１エリアにおける第ｊ２行第
【数１２】
2020529639.tif 000014
列の第１のサブ画素２０１と、第２のサブ画素２０２と、第３のサブ画素２０３とのデータ信号を表し、
【数１３】
2020529639.tif 000015
は、それぞれ第２画像３０の第１エリアにおける第ｊ２行第
【数１４】
2020529639.tif 000016
列の第１のサブ画素２０１と第２のサブ画素２０２のデータ信号を表し、
【数１５】
2020529639.tif 000017
は第２画像３０の第１エリアにおける第ｊ２行第１列の第３のサブ画素２０３のデータ信号を表す。
【数１６】
2020529639.tif 000018
は、それぞれ第１画像２０の第１エリアのうち第ｊ２行第（ｉ２＋１）列と、第ｊ２行第（ｉ２＋２）列と、第ｊ２行第ｎ２列との第１のサブ画素１０１のデータ信号を表し、
【数１７】
2020529639.tif 000019
は、それぞれ第１画像２０の第１エリアにおける第ｊ２行第（ｉ２＋１）列と、第ｊ２行第（ｉ２＋２）列と、第ｊ２行第ｎ２列の第２のサブ画素１０２のデータ信号を表し、
【数１８】
2020529639.tif 000020
は、それぞれ第１画像の第１エリアにおける第ｊ２行第（ｉ２−１）列と、第ｊ２行第ｉ２列と、第ｊ２行第１列との第３のサブ画素１０３のデータ信号を表す。
【数１９】
2020529639.tif 000021
は、第１画像の第１エリアにおける第ｊ２行の第１のサブ画素１０１の変換係数を表し、
【数２０】
2020529639.tif 000022
は、第１画像の第１エリアにおける第ｊ２行の第２のサブ画素１０２の変換係数を表し、
【数２１】
2020529639.tif 000023
は、第１画像の第１エリアにおける第ｊ２行の第３のサブ画素１０３の変換係数を表し、
【数２２】
2020529639.tif 000024
である。
【００６０】
例えば、第１画像２０において、各奇数行の第１のサブ画素１０１の変換係数
【数２３】
2020529639.tif 000025
はそれぞれ異なってもよいし、同じであってもよい。各奇数行の第２のサブ画素１０２の変換係数
【数２４】
2020529639.tif 000026
はそれぞれ異なってもよいし、同じであってもよい。各奇数行の第３のサブ画素１０３の変換係数
【数２５】
2020529639.tif 000027
はそれぞれ異なってもよいし、同じであってもよい。同様に、第１画像２０において、各偶数行の各サブ画素の変換係数については、
【数２６】
2020529639.tif 000028
はそれぞれ異なってもよいし、同じであってもよい。
【数２７】
2020529639.tif 000029
はそれぞれ異なってもよいし、同じであってもよい。
【数２８】
2020529639.tif 000030
はそれぞれ異なってもよいし、同じであってもよい。
【００６１】
例えば、変換係数
【数２９】
2020529639.tif 000031
の初期値は、いずれも０．５であってもよい。変換係数
【数３０】
2020529639.tif 000032
は、経験値に応じて予め設定されてもよい。変換係数
【数３１】
2020529639.tif 000033
は、それぞれ、第１画像２０の第１エリアにおける第ｊ１行第ｉ１列の第１のサブ画素１０１のデータ信号
【数３２】
2020529639.tif 000034
と第ｊ１行第（ｉ１＋１）列の第１のサブ画素１０１のデータ信号
【数３３】
2020529639.tif 000035
との重みを表す。例えば、上記式において、変換係数
【数３４】
2020529639.tif 000036
は、それぞれ第１画像２０の第１エリアのうち第ｊ１行第ｉ１列の第１のサブ画素１０１と第ｊ１行第（ｉ１＋１）列の第１のサブ画素１０１との面積や、相対位置の関係などに応じて決定されることができる。同様に、
【数３５】
2020529639.tif 000037
も、それぞれ各サブ画素の重みを表す。
【００６２】
例えば、第１画像２０において、ｍ１は、第１エリアの画素の総行数を表し、ｎ１は第１エリアにおける第ｊ１行の画素の総列数を表し、ｎ２は第１エリアにおける第ｊ２行の画素の総列数を表す。例えば、ｎ１とｎ２は等しくてもよく、よって第１エリアは、ｍ１＊ｎ１(又はｎ２)に配列される画素アレイを備える。
【００６３】
例えば、ｍ１と、ｎ１と、ｎ２とは、いずれも正の整数であり、ｎ１とｎ２とはいずれも偶数である。
【００６４】
例えば、データ信号は、画素のグレースケール輝度、即ち光度を表す。
【００６５】
例えば、第１エリアは長方形であってもよいし、円形や、台形又は多角形などであってもよい。例えば、第１エリアが円形や、台形又は多角形などになるように、第１エリアの端部に対して画像フィルタリング処理を行うことができる。画像フィルタリング処理は、例えば、平滑化フィルタリング、ガウスフィルタリングなどのフィルタリング関数を利用することができる。
【００６６】
例えば、図５Ａと５Ｂに示すように、一つの部分的な模式図には、第１画像２０の第１エリアにおいて、行毎に四つの画素１００を備え、第２画像３０の第１エリアにおいて、行毎に二つの画素２００を備える。つまり、第１画像２０における行毎の四つの画素１００は、第２画像３０における行毎の二つの画素２００に変換されることができる。
【００６７】
例えば、行方向では、第２画像３０の第１エリアにおける各サブ画素の画素幅は、第１画像２０の第１エリアにおける対応する各サブ画素の画素幅よりも大きい。列方向では、第２画像３０の第１エリアにおける各サブ画素の画素長さは、第１画像２０の第１エリアにおける対応する各サブ画素の画素長さと等しい。例えば、ある例示において、第２画像３０の第１エリアにおける各サブ画素の画素幅は、第１画像２０の第１エリアにおける各サブ画素の画素幅の二倍である。
【００６８】
例えば、図５Ａと５Ｂに示すように、ある具体的な例示において、第１画像２０の第１エリアにおける各画素１００と、第２画像３０の第１エリアにおける各画素２００との間の変換関係は、以下のように表現されてもよい。
【００６９】
第２画像３０の第１エリアにおける第１行画素（奇数行画素、第１変換式を利用する）について、
【数３６】
2020529639.tif 000038
である。
【００７０】
第２画像３０の第１エリアにおける第２行画素（偶数行画素、第２変換式を利用する）について、
【数３７】
2020529639.tif 000039
である。
【００７１】
上記により、ＲＢＧ配列方式の第１画像２０の第１エリアは、ＢＶ３配列方式の第２画像３０の第１エリアに変換される。
【００７２】
図６Ａは、本開示の一実施形態による第１画像における第２エリアの部分的な模式図を示す。図６Ｂは、本開示の一実施形態による第２画像における第２エリアの部分的な模式図を示す。
【００７３】
例えば、図４に示す第１画像２０を例とする。操作Ｓ５３では、第２レンダリングアルゴリズムを利用して第２エリアに対して処理を行うことは、
操作Ｓ５３０１：第１方向に沿って、第１画像２０における第１のサブエリアＢに対して、比率Ｆ１／２で拡大処理を行うと共に、第２方向に沿って、第１画像２０における第１のサブエリアＢに対して、比率１／２で圧縮処理を行うことと、
操作Ｓ５３０２：第２方向に沿って、第１画像２０における第２のサブエリアＣに対して、比率Ｆ２／２で拡大処理を行うと共に、第１方向に沿って、第１画像２０における第２のサブエリアＣに対して、比率１／２で圧縮処理を行うことと、
操作Ｓ５３０３：第１方向に沿って、第１画像２０における第３のサブエリアＤに対して、比率Ｆ１／２で拡大処理を行うと共に、第２方向に沿って、第１画像２０における第３のサブエリアＤに対して、比率Ｆ２／２で拡大処理を行うことと、
の操作を含む。
【００７４】
例えば、拡大処理は、補間アルゴリズムを利用してもよい。
【００７５】
例えば、操作Ｓ５３における拡大処理は、操作Ｓ４３における圧縮処理に対応しており、即ち、操作Ｓ５３における拡大処理の方向は、操作Ｓ４３における圧縮処理の方向に対応する。例えば、操作Ｓ４３では、原始画像１０における第１のサブエリアＢ''に対して、第１方向に沿って、比率１／Ｆ１で圧縮処理を行うと、操作Ｓ５３では、第１画像２０における第１のサブエリアＢに対して、第１方向に沿って、比率Ｆ１／２で拡大処理を行う。
【００７６】
例えば、操作Ｓ５３では、第１画像２０における第２エリアに対して圧縮処理と拡大処理を行った後、第２のレンダリングアルゴリズムを利用して第１画像２０における第２エリアに対して処理を行うことは、第３変換式を利用して第１画像における第２エリアの画素に対して画素変換を行うことをさらに含む。
【００７７】
例えば、図６Ａに示すように、第１画像２０における第２エリア２１は、複数の画素１１０を備え、それに、各画素１１０は、少なくとも第１のサブ画素１１１と、第２のサブ画素１１２と、第３のサブ画素１１３とを備える。例えば、図６Ｂに示すように、第２画像３０における第２エリアは、複数の画素２１０を備え、それに、各画素２１０は、少なくとも第１のサブ画素２１１と、第２のサブ画素２１２と、第３のサブ画素２１３とを含む。例えば、第１画像２０の第２エリア２１における第１のサブ画素１１１と、第２のサブ画素１１２と、第３のサブ画素１１３とは、例えば、それぞれ赤サブ画素、緑サブ画素と青サブ画素であってもよい。これに応じて、第２画像３０の第２エリアにおける第１のサブ画素２１１と、第２のサブ画素２１２と、第３のサブ画素２１３とは、例えば、それぞれ赤サブ画素、緑サブ画素と青サブ画素であってもよい。
【００７８】
例えば、第１画像２０の第２エリアにおける全ての画素のデータ信号は、第３変換式によって変換された後、二行のＳｍａｒｔ Ｖｉｅｗ配列方式を利用して表示装置の対応するエリアに配列されて表示されてもよい。
【００７９】
例えば、第３変換式は、
【数３８】
2020529639.tif 000040
と表現されてもよい。ここで、ｋとｌはいずれも整数であり、ｋ＝１，２，３，…，ｍ２は行数（例えば、第１画像における第２エリアの各サブエリアの行数）を表し、ｌ＝１，２，３，…，ｎ３は列数（例えば、第１画像における第２エリアの各サブエリアの列数）を表し、
【数３９】
2020529639.tif 000041
は、それぞれ第２画像３０における第２エリアの各サブエリアにおける第（２Ｋ−１）行第ｌ列の第１のサブ画素２１１と、第２のサブ画素２１２と、第３のサブ画素２１３とのデータ信号を表し、
【数４０】
2020529639.tif 000042
は、それぞれ第２画像３０における第２エリアの各サブエリアにおける第（２Ｋ）行第ｌ列の第１のサブ画素２１１と第２のサブ画素２１２とのデータ信号を表し、
【数４１】
2020529639.tif 000043
は、第２画像３０における第２エリアの各サブエリアにおける第（２Ｋ）行第（ｌ＋１）列の第３のサブ画素２１３のデータ信号を表し、
【数４２】
2020529639.tif 000044
は、それぞれ第１画像における第２エリアの各サブエリアにおける第Ｋ行第ｌ列の第１のサブ画素１１１と、第２のサブ画素１１２と、第３のサブ画素１１３とのデータ信号を表す。
【００８０】
例えば、ｍ２とｎ３はいずれも正の整数である。ｎ３は第ｋ行画素の総列数を表し、ｍ２は第１画像の第２エリアにおける第１のサブエリアや、第２のサブエリアや、第３のサブエリアにおける画素の総行数を表す。
【００８１】
例えば、第１画像２０には、ｍ２は第２エリアのうちあるサブエリア（又はあるサブエリアにおけるある部分）の画素の総行数を表し、例えば、第１のサブエリアＢにおける第１部分Ｂ１に対して画素変換を行うと、ｍ２は第１部分Ｂ１における画素の総行数を表し、第２のサブエリアＣにおける第３部分Ｃ１に対して画素変換を行うと、ｍ２は第３部分Ｃ１における画素の総行数を表す、等々。ｎ３は第２エリアのうちあるサブエリア（又はあるサブエリアにおけるある部分）の第ｋ行画素の総列数を表す。例えば、第２エリアの各サブエリアについて、ｎ３は同じでもよいし、異なってもよく、ｍ２は同じでもよいし、異なってもよい。図４に示すように、第１のサブエリアＢにおける第１部分Ｂ１と第２部分Ｂ２について、その画素の総列数ｎ３は同じでもよいが、その画素の総行数ｍ２は異なり、第２のサブエリアＣにおける第３部分Ｃ１と第４部分Ｃ２について、その画素の総列数ｎ３は異なってもよいが、その画素の総行数ｍ２は同じである。
【００８２】
例えば、図６Ａと６Ｂに示すように、ある部分的な模式図で、第１画像２０の第２エリアは、二行二列の四つの画素１１０を備え、第２画像３０の第２エリアは、四行二列の８画素２１０を備える。つまり、第１画像２０における行毎の二つの画素１１０は、第２画像３０における二行ごとの四つの画素２１０に変換されることができる。例えば、行方向では、第２画像３０の第２エリアにおける各サブ画素の画素幅は、第１画像２０の第２エリアのうち対応する各サブ画素の画素幅よりも大きい。列方向では、第２画像３０の第２エリアにおける各サブ画素の画素長さは、第１画像２０の第２エリアのうち対応する各サブ画素の画素長さと等しい。例えば、ある例示には、第２画像３０の第２エリアにおける各サブ画素の画素幅は、第１画像２０の第２エリアにおける各サブ画素の画素幅の二倍である。
【００８３】
例えば、第２画像３０の第２エリアにおける各サブ画素も、ＢＶ３アレイ配列方式を利用して配列される。
【００８４】
例えば、図６Ａと６Ｂに示すように、ある具体的な例示では、第１画像２０の第２エリアにおける各画素１１０と第２画像３０の第２エリアにおける各画素２１０との間の変換関係は、以下のように表現できる。
【００８５】
第２画像３０の第２エリアにおける第１行と第２行の画素について、
【数４３】
2020529639.tif 000045
である。
【００８６】
第２画像３０の第２エリアにおける第３行と第４行の画素について、
【数４４】
2020529639.tif 000046
である。
【００８７】
例えば、第２画像３０の第２エリアにおける偶数行の１番目のサブ画素について、そのデータ信号
【数４５】
2020529639.tif 000047
は予め設定されてもよい。例えば、
【数４６】
2020529639.tif 000048
である。
【００８８】
上記より、ＲＢＧ配列方式の第１画像２０の第２エリアは、ＢＶ３配列方式の第２画像３０の第２エリアに変換される。
【００８９】
例えば、第１のサブ画素２１１と、第２のサブ画素２１２と、第３のサブ画素２１３とがそれぞれ赤サブ画素Ｒと、緑サブ画素Ｇと、青サブ画素Ｂとを表すと、第２画像３０では、奇数行の各サブ画素が、ＲＧＢＲＧＢの順序で配列される場合、偶数行の各サブ画素は、ＢＲＧＢＲＧの順序で配列されるが、これに限られない。第２画像３０では、例えば、奇数行の各サブ画素がＧＢＲＧＢＲの順序で配列される場合、偶数行の各サブ画素はＲＧＢＲＧＢの順序で配列される。
【００９０】
例えば、操作Ｓ５４では、第１のレンダリングアルゴリズムと第２のレンダリングアルゴリズムによって処理されて得られた第２画像の各画素を、ＢＶ３配列方式で表示装置に配列して当該第２画像を表示する。
【００９１】
図７は、本開示の一実施形態による表示システムの模式的なブロック図を示す。
【００９２】
例えば、図７に示すように、本開示の実施形態による表示システムは、表示装置１と画像処理装置２を備える。表示装置１は、表示パネル７０５と、第１のプロセッサー７１０と第１メモリ７１５とを備える。画像処理装置２は、第２のプロセッサー７２０と第２メモリ７２５を備える。注意すべきは、図７に示す表示システムの部品は例示的なものに過ぎず、制限的なものではない。必要に応じて、当該表示システムは、その他部品を備えてもよい。
【００９３】
例えば、表示装置１と画像処理装置２との間で、ネットワークによって情報伝送を行うことができる。
【００９４】
例えば、ネットワークは、無線ネットワーク、有線ネットワーク、及び／又は無線ネットワークと有線ネットワークの任意の組み合わせを備える。ネットワークは、ローカルエリアネットワーク、インターネット、電気通信ネットワーク、インターネット及び／又は電気通信ネットワークによるＩｏＴ（Ｉｎｔｅｒｎｅｔ ｏｆ Ｔｈｉｎｇｓ）、及び／又は以上のネットワークの任意の組み合わせなどを備える。有線ネットワークは、例えば、ツイストペア、同軸ケーブル又は光ファイバ伝送などの方式を利用して通信することができ、無線ネットワークは、例えば、３Ｇ／４Ｇ／５Ｇ移動通信ネットワーク、Ｂｌｕｅｔｏｏｔｈ（登録商標）、Ｚｉｇｂｅｅ（登録商標）又はＷｉＦｉなどの通信方式を利用することができる。本開示は、ネットワークの種類と機能を限定しない。
【００９５】
例えば、表示装置１における各部品間に、バスシステム及び／又はその他形式の接続機構（図示せず）によって互いに繋がって情報伝送を実現することができる。画像処理装置２における各部品間も、バスシステム及び／又はその他形式の接続機構（図示せず）によって互いに繋がって情報伝送を実現することができる。
【００９６】
例えば、第１のプロセッサー７１０は、表示装置１の駆動チップに設置されてもよい。第１のプロセッサー７１０は、データ処理能力及び／又はプログラム実行能力を有する処理ユニットである。第１のプロセッサー７１０は、表示装置１におけるその他の部品を制御して所望の機能を実行することができる。
【００９７】
例えば、第２のプロセッサー７２０は、中央処理ユニット（ＣＰＵ）又はデータ処理能力及び／又はプログラム実行能力を有するその他の形式の処理ユニットであり、例えば、画像処理ユニット（ＧＰＵ）、フィールドプログラマブルゲートアレイ（ＦＰＧＡ：Ｆｉｅｌｄ Ｐｒｏｇｒａｍｍａｂｌｅ Ｇａｔｅ Ａｒｒａｙ）或いはテンソル処理ユニット（ＴＰＵ）などである。第２のプロセッサー７２０は、画像処理装置２におけるその他の部品を制御して所望の機能を実行することができる。また、例えば、中央テンソル（ＣＰＵ）は、Ｘ８６又はＡＲＭ架構などであってもよい。
【００９８】
例えば、第１メモリ７１５と第２メモリ７２５は、一つ又は複数のコンピュータープログラム製品の任意の組み合わせを備えてもよい。コンピュータープログラム製品は、様々な形式のコンピューター読取可能記憶媒体、例えば、揮発性メモリ及び／又は不揮発性メモリを備えてもよい。揮発性メモリは、例えば、ランダムアクセスメモリ（ＲＡＭ：Ｒａｎｄｏｍ Ａｃｃｅｓｓ Ｍｅｍｏｒｙ）及び／又はキャッシュ（ｃａｃｈｅ）などを含む。不揮発性メモリは、例えば、読み取り専用メモリ（ＲＯＭ：Ｒｅａｄ Ｏｎｌｙ Ｍｅｍｏｒｙ）、ハードディスク、消去可能なプログラマブル読み取り専用メモリ(ＥＰＲＯＭ：Ｅｒａｓａｂｌｅ Ｐｒｏｇｒａｍｍａｂｌｅ Ｒｅａｄ Ｏｎｌｙ Ｍｅｍｏｒｙ)、携帯式コンパクトディスク読み取り専用メモリ(ＣＤ−ＲＯＭ：Ｃｏｍｐａｃｔ Ｄｉｓｋ ＲＯＭ)、ＵＳＢメモリ、フラッシュなどを含む。コンピューター読取可能記憶媒体には、さらに、様々な応用プログラムと様々なデータ、例えば、変換係数、及び応用プログラムによって使用及び／又は生成される様々なデータなどを記憶することができる。
【００９９】
例えば、第１メモリ７１５には、一つ又は複数の第１のコンピューター指示を記憶することができる。第１のプロセッサー７１０は、第１のコンピューター指示を実行して様々な機能（例えば、第１のレンダリングアルゴリズムと第２のレンダリングアルゴリズムなど）を実現することができる。第２メモリ７２５にも、一つ又は複数の第２コンピューター指示を記憶することができる。第２のプロセッサー７２０は、第２コンピューター指示を実行して様々な機能（例えば、圧縮された第１画像を生成するなど）を実現することができる。
【０１００】
例えば、表示パネル７０５は、第２画像を表示するために用いられる。表示パネルは、液晶表示パネル（ＬＣＤ）、有機発光ダイオード表示パネル（ＯＬＥＤ）などであってもよい。
【０１０１】
例えば、第１のコンピューター指示は、第１のプロセッサー７１０によって実行される場合、圧縮後の第１画像を取得することと、第１画像における第１エリアと第２エリアを特定することと、第１のレンダリングアルゴリズムを利用して第１画像における第１エリアに対して処理を行うと共に、第１のレンダリングアルゴリズムよりレンダリング解像度が小さい第２のレンダリングアルゴリズムを利用して第１画像における第２エリアに対して処理を行うことで、第２画像を得ることと、表示パネル上で第２画像を表示することと、の操作を実現することができる。
【０１０２】
例えば、第１画像における各サブ画素は、基準となるＲＢＧアレイ配列方式を利用して配列され、第２画像における各サブ画素は、Ｂｒｉｇｈｔ Ｖｉｅｗ ３（ＢＶ３）アレイ配列方式を利用して配列されてもよい。
【０１０３】
例えば、第１画像における第２エリアの解像度は、第２画像における第２エリアの解像度よりも小さい。
【０１０４】
例えば、ある例示において、第１のコンピューター指示は、第１のプロセッサー７１０によって実行される場合、さらに、第１変換式を利用して第１画像の第１エリアにおける奇数行の画素に対して画素変換を行うことと、第２変換式を利用して第１画像の第１エリアにおける偶数行の画素に対して画素変換を行うことと、の操作を実現する。
【０１０５】
例えば、第１画像における第１エリアは、複数の画素を備え、各画素は、少なくとも第１のサブ画素と、第２のサブ画素と、第３のサブ画素とを備える。説明すべきは、各画素の具体的な説明については、画像表示方法の実施形態における関する説明を参照すればよいので、ここでは重複的な説明を省略する。
【０１０６】
例えば、第１変換式は、
【数４７】
2020529639.tif 000049
と表現されることができる。ここで、ｉ１、ｊ１、ｎ１、ｍ１はいずれも整数であり、ｉ１＝１，３，５，…，ｎ１−１は、奇数行の列数を表し、ｊ１＝１，３，５，…，ｍ１−１は奇数行の行数を表し、ｎ１は第ｊ１行の画素の総列数を表し、ｍ１は第１画像の第１エリアにおける画素の総行数を表し、
【数４８】
2020529639.tif 000050
は、それぞれ第２画像３０の第１エリアにおける第ｊ１行第
【数４９】
2020529639.tif 000051
列の第１のサブ画素と、第２のサブ画素と、第３のサブ画素とのデータ信号を表す。
【数５０】
2020529639.tif 000052
は、それぞれ第１画像の第１エリアにおける第ｊ１行第ｉ１列の第１のサブ画素と、第２のサブ画素と、第３のサブ画素とのデータ信号を表し、
【数５１】
2020529639.tif 000053
は、それぞれ第１画像の第１エリアにおける第ｊ１行第（ｉ１＋１）列の第１のサブ画素と、第２のサブ画素と、第３のサブ画素とのデータ信号を表す。
【数５２】
2020529639.tif 000054
は、第１画像の第１エリアにおける第ｊ１行の第１のサブ画素の変換係数を表し、
【数５３】
2020529639.tif 000055
は、第１画像の第１エリアにおける第ｊ１行の第２のサブ画素の変換係数を表し、
【数５４】
2020529639.tif 000056
は、第１画像の第１エリアにおける第ｊ１行の第３のサブ画素の変換係数を表し、
【数５５】
2020529639.tif 000057
である。
【０１０７】
例えば、第２変換式は、
【数５６】
2020529639.tif 000058
と表現されることができる。ここで、ｉ２、ｊ２、ｎ２はいずれも整数であり、ｉ２は偶数行の列数を表し、ｊ２は偶数行の行数を表し、ｎ２は第ｊ２行の画素の総列数を表し、
【数５７】
2020529639.tif 000059
は、それぞれ第２画像の第１エリアにおける第ｊ２行第
【数５８】
2020529639.tif 000060
列の第１のサブ画素と、第２のサブ画素と、第３のサブ画素のデータ信号を表し、
【数５９】
2020529639.tif 000061
は、それぞれ第２画像の第１エリアにおける第ｊ２行第
【数６０】
2020529639.tif 000062
列の第１のサブ画素と第２のサブ画素のデータ信号を表し、
【数６１】
2020529639.tif 000063
は、第２画像の第１エリアにおける第ｊ２行第１列の第３のサブ画素のデータ信号を表す。
【数６２】
2020529639.tif 000064
は、それぞれ第１画像の第１エリアにおける第ｊ２行第（ｉ２＋１）列、第ｊ２行第（ｉ２＋２）列第ｊ２行第ｎ２列の第１のサブ画素のデータ信号を表し、
【数６３】
2020529639.tif 000065
は、それぞれ第１画像の第１エリアにおける第ｊ２行第（ｉ２＋１）列と、第ｊ２行第（ｉ２＋２）列と、第ｊ２行第ｎ２列との第２のサブ画素のデータ信号を表し、
【数６４】
2020529639.tif 000066
は、それぞれ第１画像の第１エリアにおける第ｊ２行第（ｉ２−１）列と、第ｊ２行第ｉ２列と、第ｊ２行第１列との第３のサブ画素１０３のデータ信号を表す。
【数６５】
2020529639.tif 000067
は、第１画像の第１エリアにおける第ｊ２行の第１のサブ画素の変換係数を表し、
【数６６】
2020529639.tif 000068
は、第１画像の第１エリアにおける第ｊ２行の第２のサブ画素の変換係数を表し、
【数６７】
2020529639.tif 000069
は、第１画像の第１エリアにおける第ｊ２行の第３のサブ画素の変換係数を表し、
【数６８】
2020529639.tif 000070
である。
【０１０８】
例えば、ある例示において、第２コンピューター指示は、第２のプロセッサー７２０によって実行される場合、原始画像を生成することと、原始画像における第１エリアと第２エリアを特定することと、画像処理装置を利用して原始画像における第１エリアに高解像度レンダリングを行うと共に、原始画像における第２エリアに対して圧縮レンダリング処理を行うことで圧縮後の第１画像を生成することと、圧縮後の第１画像を表示装置に出力することと、の操作を実現することができる。
【０１０９】
例えば、第１エリアが固視エリアであり、第２エリアが非固視エリアであってもよい。これにより、表示システムは、さらに、眼制御装置（図示せず）を備えてもよい。眼制御装置は、眼球追跡技術により人の目線を検出して原始画像における第１エリアを特定することができる。
【０１１０】
例えば、眼制御装置は、眼球と眼球周辺の特徴の変化により人の目線を追跡してもよいし、虹彩角度の変化に応じて人の眼線を追跡してもよい。眼制御装置は、虹彩に赤外線などのビームを投影することで眼球の特徴を抽出することによって、人の眼線を追跡することを実現する。
【０１１１】
例えば、眼制御装置は、赤外線装置または画像収集装置などのハードウェア装置を備える。画像収集装置は、携帯電話又はコンピューター等の電子装置のカメラであってもよい。
【０１１２】
例えば、ある例示においては、第２コンピューター指示は、第２のプロセッサー７２０によって実行される場合、眼制御装置を利用して人の眼線を検出することと、人の眼線に応じて原始画像における第１エリアを特定することと、の操作を実現することもできる。例えば、原始画像において第１エリア以外のエリアを第２エリアとする。
【０１１３】
例えば、各画像（第１画像、第２画像、原始画像）の第２エリアは、第１のサブエリアと、第２のサブエリアと、第３のサブエリアとを備える。第１のサブエリアは、第１方向で第１エリアと隣接し、第２のサブエリアは、第２方向で第１エリアと隣接し、第３のサブエリアは、第１エリアと隣接しない。
【０１１４】
例えば、第１方向と第２方向は互いに垂直する。
【０１１５】
例えば、原始画像における第２エリアは、第１のサブエリアと、第２のサブエリアと、第３のサブエリアとを備える。原始画像における第１のサブエリアは、第１方向で原始画像における第１エリアと隣接し、原始画像における第２のサブエリアは、第２方向で原始画像における第１エリアと隣接し、原始画像における第３のサブエリアは、原始画像における第１エリアと隣接しない。第１画像における第２エリアも、第１のサブエリアと、第２のサブエリアと、第３のサブエリアとを備え、それぞれ原始画像における第２エリアに備えられる第１のサブエリアと、第２のサブエリアと、第３のサブエリアとに一対一で対応する。
【０１１６】
例えば、第１のサブエリアは、少なくとも一つの部分を備え、第２のサブエリアは、少なくとも一つの部分を備え、第３のサブエリアも、少なくとも一つの部分を含む。これにより、原始画像は、複数の部分に分割され、これに応じて、第１画像と第２画像も、複数の部分に分割されてもよい。本開示の実施形態は、原始画像と、第１画像と、第２画像とにおける各部分の数及び配列方式については限定しない。
【０１１７】
例えば、ある例示において、第２コンピューター指示は、第２のプロセッサー７２０によって実行される場合、第１方向に沿って、原始画像における第１のサブエリアに対して、比率１／Ｆ１で圧縮処理を行うことと、第２方向に沿って、原始画像における第２のサブエリアに対して、比率１／Ｆ２で圧縮処理を行うことと、第１方向に沿って、原始画像における第３のサブエリアに対して、比率１／Ｆ１で圧縮処理を行うことと共に、第２方向に沿って、原始画像における第３のサブエリアに対して、比率１／Ｆ２で圧縮処理を行うことと、の操作を実現することもできる。
【０１１８】
例えば、ある例示において、第１のコンピューター指示は、第１のプロセッサー７１０によって実行される場合、第１方向に沿って、第１画像における第１のサブエリアに対して、比率Ｆ１／２で拡大処理を行うと共に、第２方向に沿って、第１画像における第１のサブエリアに対して、比率１／２で圧縮処理を行うことと、第２方向に沿って、第１画像における第２のサブエリアに対して、比率Ｆ２／２で拡大処理を行うと共に、第１方向に沿って、第１画像における第２のサブエリアに対して、比率１／２で圧縮処理を行うことと、第１方向に沿って、第１画像における第３のサブエリアに対して、比率Ｆ１／２で拡大処理を行うと共に、第２方向に沿って、第１画像における第３のサブエリアに対して、比率Ｆ２／２で拡大処理を行うことと、の操作も実現できる。
【０１１９】
例えば、拡大処理と圧縮処理は、いずれも補間アルゴリズムを利用してもよい。
【０１２０】
例えば、ある例示において、第１のコンピューター指示は第１のプロセッサー７１０によって実行される場合、第３変換式を利用して第１画像における第２エリアの画素に対して画素変換を行うことと、の操作も実現できる。
【０１２１】
例えば、第３変換式は、
【数６９】
2020529639.tif 000071
と表現されることができる。ここで、ｋ、ｌ、ｍ２、ｎ３はいずれも整数であり、ｎ３は第ｋ行の画素の総列数を表し、ｍ２は第１のサブエリアや第２のサブエリアや第３のサブエリアにおける画素の総行数を表し、ｋ＝１，２，３，…，ｍ２は行数を表し、ｌ＝１，２，３，…，ｎ３は列数を表し、
【数７０】
2020529639.tif 000072
は、それぞれ第２画像における第２エリアの各サブエリアにおける第（２ｋ−１）行第ｌ列の第１のサブ画素と、第２のサブ画素と、第３のサブ画素とのデータ信号を表し、
【数７１】
2020529639.tif 000073
は、それぞれ第２画像における第２エリアの各サブエリアにおける第（２ｋ）行第ｌ列の第１のサブ画素と第２のサブ画素のデータ信号を表し、
【数７２】
2020529639.tif 000074
は第２画像における第２エリアの各サブエリアにおける第（２ｋ）行第（ｌ＋１）列の第３のサブ画素のデータ信号を表し、
【数７３】
2020529639.tif 000075
は、それぞれ第１画像における第２エリアの各サブエリアにおける第ｋ行第ｌ列の第１のサブ画素と、第２のサブ画素と、第３のサブ画素とのデータ信号を表す。
【０１２２】
説明すべきは、拡大処理、ｍ２、圧縮処理、第１変換式、第２変換式、第３変換式並びに各サブ画素の変換係数などに関する詳細な説明は、画像表示方法の実施形態における関連する説明を参照すればよいので、ここでは重複な説明を省略する。
【０１２３】
本開示の少なくとも一実施形態は、さらに、プロセッサーによって実行されるコンピューター指示が記憶されたコンピューター読取可能記憶媒体を提供する。当該コンピューター指示は、ロセッサーによって実行される場合、圧縮後の第１画像を取得することと、第１画像における第１エリア和第２エリアを特定することと、第１のレンダリングアルゴリズムを利用して第１エリアに対して処理を行うと共に、第１のレンダリングアルゴリズムよりレンダリング解像度が小さい第２のレンダリングアルゴリズムを利用して第２エリアに対して処理を行うことで第２画像を得ることと、第２画像を表示することと、の操作を実現する。
【０１２４】
例えば、当該コンピューター指示は、プロセッサーによって実行される場合、上述した画像表示方法における一つ又は複数のステップを実行してもよい。
【０１２５】
例えば、本開示の実施形態のある例示において、当該コンピューター読取可能記憶媒体は、上記いずれかの実施形態の表示システムに適用される。例えば、コンピューター読取可能記憶媒体は、表示システムの表示装置における第１メモリであってもよい。
【０１２６】
例えば、コンピューター読取可能記憶媒体の説明については、表示システムに係る実施形態における第１メモリに関する説明を参照すればよいので、ここでは重複な説明を省略する。
【０１２７】
本開示について、以下の方面について説明する必要がある。即ち、
（１）本開示の実施形態の図面は、本開示の実施形態に係る構成に関するのみであり、その他の構成は通常な設計を参照すればよい。
（２）矛盾しない場合、本開示の実施形態及び実施形態における特徴を互いに組み合わせて新たな実施形態を得ることができる。
【０１２８】
上記は本開示の具体的な実施方式に過ぎず、本開示の保護範囲はこれに限られない。本開示の保護範囲は、請求項の範囲に従うべきである。
【符号の説明】
【０１２９】
１  表示装置
２  画像処理装置
７０５  表示パネル
７１０  第１のプロセッサー
７１５  第１メモリ
７２０  第２のプロセッサー
７２５  第２メモリ
【図１】
2020529639.tif 000130
【図２Ａ】
2020529639.tif 000131
【図２Ｂ】
2020529639.tif 000132
【図３】
2020529639.tif 000133
【図４】
2020529639.tif 000134
【図５Ａ】
2020529639.tif 000135
【図５Ｂ】
2020529639.tif 000136
【図６Ａ】
2020529639.tif 000137
【図６Ｂ】
2020529639.tif 000138
【図７】
2020529639.tif 000139
【国際調査報告】
2020529639.tif 000140
2020529639.tif 000141
2020529639.tif 000142
2020529639.tif 000143